【手続補正書】
【提出日】平成25年3月11日(2013.3.11)
【手続補正１】
【補正対象書類名】明細書
【補正対象項目名】発明の名称
【補正方法】変更
【補正の内容】
【発明の名称】撮像装置、画像処理装置、撮像処理方法及びプログラム
【手続補正２】
【補正対象書類名】明細書
【補正対象項目名】０００１
【補正方法】変更
【補正の内容】
【０００１】
本発明は、撮像装置、画像処理装置、撮像処理方法及びプログラムに関する。
【手続補正３】
【補正対象書類名】明細書
【補正対象項目名】０００５
【補正方法】変更
【補正の内容】
【０００５】
そこで、本発明の課題は、被写体領域の切り抜きの失敗を防止することができる撮像装置、画像処理装置、撮像処理方法及びプログラムを提供することである。
【手続補正４】
【補正対象書類名】明細書
【補正対象項目名】０００６
【補正方法】変更
【補正の内容】
【０００６】
上記課題を解決するため、請求項１に記載の発明の撮像装置は、
背景画像を取得する取得手段と、背景内に被写体が存する被写体存在画像を撮像する撮像手段と、前記撮像手段により撮像された被写体存在画像の被写体領域の中に、前記背景画像と略同色の第１領域が存するか否かを判定する第１領域判定手段と、この第１領域判定手段によって前記第１領域が存すると判定された場合に、当該第１領域が存する旨を報知する報知手段と、を備えたことを特徴としている。
請求項２に記載の発明は、請求項１に記載の撮像装置において、前記被写体存在画像に、前記背景画像の色とは異なる色の領域でほぼ囲まれた第２領域が存するか否かを判定する第２領域判定手段を更に備え、前記第１領域判定手段は、前記第２領域判定手段によって前記第２領域が存すると判定された場合に、前記被写体存在画像における前記第２の領域の中に、前記背景画像と略同色の第１領域が存するか否かを判定することを特徴としている。
【手続補正５】
【補正対象書類名】明細書
【補正対象項目名】０００７
【補正方法】変更
【補正の内容】
【０００７】
請求項３に記載の発明は、請求項２に記載の撮像装置において、
前記第２領域は、前記背景用画像とは異なる色の画素で囲繞された閉領域であることを特徴としている。
【手続補正６】
【補正対象書類名】明細書
【補正対象項目名】０００８
【補正方法】変更
【補正の内容】
【０００８】
請求項４に記載の発明は、請求項１〜３の何れか一項に記載の撮像装置において、
前記撮像手段により撮像される被写体存在画像の背景は、前記背景画像の対応する領域と略同一であることを特徴としている。
【手続補正７】
【補正対象書類名】明細書
【補正対象項目名】０００９
【補正方法】変更
【補正の内容】
【０００９】
請求項５に記載の発明の撮像装置は、
背景内に被写体が存する被写体存在画像を撮像する撮像手段と、前記被写体存在画像における背景部分の色と略同色の第１領域が前記被写体存在画像中の被写体領域に存するか否かを判定する第１領域判定手段と、この第１領域判定手段によって前記第１領域が存すると判定された場合に、当該第１領域が存する旨を報知する報知手段と、を備えたことを特徴としている。
請求項６に記載の発明は、請求項５に記載の撮像装置において、
前記撮像手段により撮像された被写体存在画像に前記背景部分の色とは異なる色の領域でほぼ囲まれた第２領域が存するか否かを判定する第２領域判定手段を更に備え、前記第１領域判定手段は、前記第２領域判定手段によって前記第２領域が存すると判定された場合に、前記被写体存在画像における前記第２領域の中に、前記背景部分の色と略同色の第１領域が存するか否かを判定することを特徴としている。
請求項７に記載の発明は、請求項６に記載の撮像装置において、
前記被写体存在画像の背景部分の非平坦度が所定値以下であるか否かを判定する非平坦度判定手段を更に備え、前記第２領域判定手段は、この非平坦度判定手段により非平坦度が所定値以下であると判定された場合に、前記被写体存在画像に前記背景画像の色とは異なる色の領域でほぼ囲まれた第２領域が存するか否かを判定することを特徴としている。
【手続補正８】
【補正対象書類名】明細書
【補正対象項目名】００１０
【補正方法】変更
【補正の内容】
【００１０】
請求項８に記載の発明は、請求項６又は７に記載の撮像装置において、
前記第２領域は、前記背景部分とは異なる色の画素で囲繞された閉領域であることを特徴としている。
【手続補正９】
【補正対象書類名】明細書
【補正対象項目名】００１１
【補正方法】変更
【補正の内容】
【００１１】
請求項９に記載の発明は、請求項１〜８の何れか一項に記載の撮像装置において、
前記被写体存在画像は、前記撮像手段によって順次撮像されて表示手段に表示されることを特徴としている。
【手続補正１０】
【補正対象書類名】明細書
【補正対象項目名】００１２
【補正方法】変更
【補正の内容】
【００１２】
請求項１０に記載の発明は、請求項９に記載の撮像装置において、
前記報知手段は、前記表示手段に表示されている被写体存在画像における前記第１領域を識別可能な表示形態で表示させることを特徴としている。
【手続補正１１】
【補正対象書類名】明細書
【補正対象項目名】００１３
【補正方法】変更
【補正の内容】
【００１３】
請求項１１に記載の発明は、請求項１〜１０の何れか一項に記載の撮像装置において、
前記被写体存在画像から被写体が存する領域を切り抜いて被写体画像を生成する画像生成手段を更に備えることを特徴としている。
請求項１２に記載の発明の画像処理装置は、
背景画像及び背景内に被写体が存する被写体存在画像を取得する取得手段と、前記取得手段に取得された被写体存在画像の被写体領域の中に、前記背景画像と略同色の領域が存するか否かを判定する領域判定手段と、この領域判定手段によって前記領域が存すると判定された場合に、当該領域が存する旨を報知する報知手段と、を備えたことを特徴としている。
請求項１３に記載の発明の画像処理装置は、
背景内に被写体が存する被写体存在画像を取得する取得手段と、前記被写体存在画像における背景部分の色と略同色の領域が前記被写体存在画像中の被写体領域に存するか否かを判定する領域判定手段と、この領域判定手段によって前記領域が存すると判定された場合に、当該領域が存する旨を報知する報知手段と、を備えたことを特徴としている。
【手続補正１２】
【補正対象書類名】明細書
【補正対象項目名】００１４
【補正方法】変更
【補正の内容】
【００１４】
請求項１４に記載の発明の撮像処理方法は、
背景内に被写体が存する被写体存在画像を撮像する撮像手段を備える撮像装置を用いた撮像処理方法であって、背景画像を取得する取得処理と、前記撮像手段により撮像された被写体存在画像の被写体領域の中に、前記背景画像と略同色の領域が存するか否かを判定する領域判定処理と、この領域判定処理によって前記領域が存すると判定された場合に、当該領域が存する旨を報知する報知処理と、を含むことを特徴としている。
【手続補正１３】
【補正対象書類名】明細書
【補正対象項目名】００１５
【補正方法】変更
【補正の内容】
【００１５】
請求項１５に記載の発明の撮像処理方法は、
背景内に被写体が存する被写体存在画像を撮像する撮像手段を備える撮像装置を用いた撮像処理方法であって、前記被写体存在画像における背景部分の色と略同色の領域が前記被写体存在画像中の被写体領域に存するか否かを判定する領域判定処理と、この領域判定処理によって前記領域が存すると判定された場合に、当該領域が存する旨を報知する報知処理と、を含むことを特徴としている。
【手続補正１４】
【補正対象書類名】明細書
【補正対象項目名】００１６
【補正方法】変更
【補正の内容】
【００１６】
請求項１６に記載の発明のプログラムは、
撮像装置のコンピュータを、背景画像を取得する取得手段、背景内に被写体が存する被写体存在画像を撮像させる撮像制御手段、撮像された被写体存在画像の被写体領域の中に、前記背景画像と略同色の領域が存するか否かを判定する領域判定手段、この領域判定手段によって前記領域が存すると判定された場合に、当該領域が存する旨を報知させる報知制御手段、として機能させることを特徴としている。
【手続補正１５】
【補正対象書類名】明細書
【補正対象項目名】００１７
【補正方法】変更
【補正の内容】
【００１７】
請求項１７に記載の発明のプログラムは、
撮像装置のコンピュータを、背景内に被写体が存する被写体存在画像を撮像させる撮像制御手段、前記被写体存在画像における背景部分の色と略同色の領域が前記被写体存在画像中の被写体領域に存するか否かを判定する領域判定手段、この領域判定手段によって前記領域が存すると判定された場合に、当該領域が存する旨を報知させる報知制御手段、として機能させることを特徴としている。
【手続補正１６】
【補正対象書類名】特許請求の範囲
【補正対象項目名】全文
【補正方法】変更
【補正の内容】
【特許請求の範囲】
【請求項１】
背景画像を取得する取得手段と、
背景内に被写体が存する被写体存在画像を撮像する撮像手段と、
前記撮像手段により撮像された被写体存在画像の被写体領域の中に、前記背景画像と略同色の第１領域が存するか否かを判定する第１領域判定手段と、
この第１領域判定手段によって前記第１領域が存すると判定された場合に、当該第１領域が存する旨を報知する報知手段と、
を備えたことを特徴とする撮像装置。
【請求項２】
前記被写体存在画像に、前記背景画像の色とは異なる色の領域でほぼ囲まれた第２領域が存するか否かを判定する第２領域判定手段を更に備え、
前記第１領域判定手段は、前記第２領域判定手段によって前記第２領域が存すると判定された場合に、前記被写体存在画像における前記第２の領域の中に、前記背景画像と略同色の第１領域が存するか否かを判定することを特徴とする請求項１に記載の撮像装置。
【請求項３】
前記第２領域は、前記背景用画像とは異なる色の画素で囲繞された閉領域であることを特徴とする請求項２に記載の撮像装置。
【請求項４】
前記撮像手段により撮像される被写体存在画像の背景は、前記背景画像の対応する領域と略同一であることを特徴とする請求項１〜３の何れか一項に記載の撮像装置。
【請求項５】
背景内に被写体が存する被写体存在画像を撮像する撮像手段と、
前記被写体存在画像における背景部分の色と略同色の第１領域が前記被写体存在画像中の被写体領域に存するか否かを判定する第１領域判定手段と、
この第１領域判定手段によって前記第１領域が存すると判定された場合に、当該第１領域が存する旨を報知する報知手段と、
を備えたことを特徴とする撮像装置。
【請求項６】
前記撮像手段により撮像された被写体存在画像に前記背景部分の色とは異なる色の領域でほぼ囲まれた第２領域が存するか否かを判定する第２領域判定手段を更に備え、
前記第１領域判定手段は、前記第２領域判定手段によって前記第２領域が存すると判定された場合に、前記被写体存在画像における前記第２領域の中に、前記背景部分の色と略同色の第１領域が存するか否かを判定することを特徴とする請求項５に記載の撮像装置。
【請求項７】
前記被写体存在画像の背景部分の非平坦度が所定値以下であるか否かを判定する非平坦度判定手段を更に備え、
前記第２領域判定手段は、この非平坦度判定手段により非平坦度が所定値以下であると判定された場合に、前記被写体存在画像に前記背景画像の色とは異なる色の領域でほぼ囲まれた第２領域が存するか否かを判定することを特徴とする請求項６に記載の撮像装置。
【請求項８】
前記第２領域は、前記背景部分とは異なる色の画素で囲繞された閉領域であることを特徴とする請求項６又は７に記載の撮像装置。
【請求項９】
前記被写体存在画像は、前記撮像手段によって順次撮像されて表示手段に表示されることを特徴とする請求項１〜８の何れか一項に記載の撮像装置。
【請求項１０】
前記報知手段は、前記表示手段に表示されている被写体存在画像における前記第１領域を識別可能な表示形態で表示させることを特徴とする請求項９に記載の撮像装置。
【請求項１１】
前記被写体存在画像から被写体が存する領域を切り抜いて被写体画像を生成する画像生成手段を更に備えることを特徴とする請求項１〜１０の何れか一項に記載の撮像装置。
【請求項１２】
背景画像及び背景内に被写体が存する被写体存在画像を取得する取得手段と、
前記取得手段に取得された被写体存在画像の被写体領域の中に、前記背景画像と略同色の領域が存するか否かを判定する領域判定手段と、
この領域判定手段によって前記領域が存すると判定された場合に、当該領域が存する旨を報知する報知手段と、
を備えたことを特徴とする画像処理装置。
【請求項１３】
背景内に被写体が存する被写体存在画像を取得する取得手段と、
前記被写体存在画像における背景部分の色と略同色の領域が前記被写体存在画像中の被写体領域に存するか否かを判定する領域判定手段と、
この領域判定手段によって前記領域が存すると判定された場合に、当該領域が存する旨を報知する報知手段と、
を備えたことを特徴とする画像処理装置。
【請求項１４】
背景内に被写体が存する被写体存在画像を撮像する撮像手段を備える撮像装置を用いた撮像処理方法であって、
背景画像を取得する取得処理と、
前記撮像手段により撮像された被写体存在画像の被写体領域の中に、前記背景画像と略同色の領域が存するか否かを判定する領域判定処理と、
この領域判定処理によって前記領域が存すると判定された場合に、当該領域が存する旨を報知する報知処理と、
を含むことを特徴とする撮像処理方法。
【請求項１５】
背景内に被写体が存する被写体存在画像を撮像する撮像手段を備える撮像装置を用いた撮像処理方法であって、
前記被写体存在画像における背景部分の色と略同色の領域が前記被写体存在画像中の被写体領域に存するか否かを判定する領域判定処理と、
この領域判定処理によって前記領域が存すると判定された場合に、当該領域が存する旨を報知する報知処理と、
を含むことを特徴とする撮像処理方法。
【請求項１６】
撮像装置のコンピュータを、
背景画像を取得する取得手段、
背景内に被写体が存する被写体存在画像を撮像させる撮像制御手段、
撮像された被写体存在画像の被写体領域の中に、前記背景画像と略同色の領域が存するか否かを判定する領域判定手段、
この領域判定手段によって前記領域が存すると判定された場合に、当該領域が存する旨を報知させる報知制御手段、
として機能させることを特徴とするプログラム。
【請求項１７】
撮像装置のコンピュータを、
背景内に被写体が存する被写体存在画像を撮像させる撮像制御手段、
前記被写体存在画像における背景部分の色と略同色の領域が前記被写体存在画像中の被写体領域に存するか否かを判定する領域判定手段、
この領域判定手段によって前記領域が存すると判定された場合に、当該領域が存する旨を報知させる報知制御手段、
として機能させることを特徴とするプログラム。